(57)【特許請求の範囲】
【請求項１】
医療処置を受けるよう準備された対象内のパーソナルメディカルデバイスの存在を検出する方法であって：
メディカルデバイスモジュールを用いて、前記対象に対する第１の患者データのセットを得るステップであり、前記第１の患者データのセットは、前記メディカルデバイスモジュールを用いて第１のデータベースにポーリングし、前記パーソナルメディカルデバイスの位置及び種類を得ることによって得られる、ステップ；
前記メディカルデバイスモジュールを用いて前記第１の患者データのセットを分析して、パーソナルメディカルデバイスが存在するかどうかを決定するステップ；
前記パーソナルメディカルデバイスが存在する場合に、第２のデータベースにポーリングし、第２の患者データのセットを得るステップであり、前記第２の患者データのセットが、前記パーソナルメディカルデバイスの減衰特性及び放射線感受性特性を含む、ステップ；並びに、
前記第１の患者データのセット及び前記第２の患者データのセットに応じて、前記メディカルデバイスモジュールによって前記医療処置を変更するステップ；
を含む方法。
【請求項２】
前記対象の前記第１の患者データのセットは画像データからさらに得られる、請求項１に記載の方法。
【請求項３】
前記画像データは、前記対象のスカウトスキャンから、又は、少なくとも1つの前記対象の以前の走査手順から得られ、減衰画像特徴データは、前記スカウトスキャンに基づき計算される、請求項２に記載の方法。
【請求項４】
前記第１のデータベースにポーリングすることは、電子医療記録のデータベース、病院情報システムのデータベース、放射線学情報システムのデータベース、又は、画像データ保管通信システムのデータベースのうちの少なくとも１つにポーリングすることを含む、請求項３に記載の方法。
【請求項５】
前記医療処置の計画された走査範囲に対して、再構築された前記対象の画像上で前記パーソナルメディカルデバイスを視覚的に描写するステップをさらに含む、請求項１乃至４のいずれか一項に記載の方法。
【請求項６】
前記メディカルデバイスモジュールによる前記第１の患者デ―タのセットの分析に基づき、前記メディカルデバイスモジュールを用いて前記パーソナルメディカルデバイスを分類するステップをさらに含む、請求項１乃至５のいずれか一項に記載の方法。
【請求項７】
対象内のパーソナルメディカルデバイスの存在を検出するためのシステムであって、
メディカルデバイスモジュールを含み、
該メディカルデバイスモジュールは、前記対象に対する第１の患者データのセットを得るよう適応されたロジックを含むコンピュータにより読み取り可能な媒体を含み、前記第１の患者データのセットは、前記メディカルデバイスモジュールを用いて第１のデータベースにポーリングし、前記パーソナルメディカルデバイスの位置及び種類を得ることによって得られ、前記患者データを分析してパーソナルメディカルデバイスが存在するかどうかを決定し、前記パーソナルメディカルデバイスが存在する場合に、第２のデータベースにポーリングし、第２の患者データのセットを得て、前記第２の患者データのセットは、前記パーソナルメディカルデバイスの減衰特性及び放射線感受性特性を含み、さらに、前記第１の患者データのセット及び前記第２の患者データのセットに応じて、前記メディカルデバイスモジュールによって前記医療処置を変更する、システム。
【請求項８】
前記対象の前記第１の患者データのセットは画像データから得られる、請求項７に記載のシステム。
【請求項９】
前記画像データは、前記対象のスカウトスキャンから、又は、少なくとも１つの前記対象の以前の走査手順から得られ、減衰画像特徴データは、前記スカウトスキャンに基づき計算される、請求項８に記載のシステム。
【請求項１０】
前記メディカルデバイスモジュールは、電子医療記録のデータベース、病院情報システムのデータベース、放射線学情報システムのデータベース、画像データ保管通信システムのデータベース、メディカルデバイス製造業者のデータベース、医用画像走査装置製造業者のデータベース、又は、監督機関のデータベースのうち少なくとも１つにポーリングするよう適応される、請求項９に記載のシステム。
【請求項１１】
前記メディカルデバイスモジュールは、前記医療処置の計画された走査範囲に対して、再構築された前記対象の画像上で前記パーソナルメディカルデバイスを視覚的に描写するよう適応される、請求項７、８、９又は１０に記載のシステム。
【請求項１２】
前記メディカルデバイスモジュールは、前記第１の患者データのセットの分析に基づき前記パーソナルメディカルデバイスを分類するよう適応される、請求項７、８、９、１０又は１１に記載のシステム。
【発明の詳細な説明】
【技術分野】
【０００１】
本発明は、一般に、医用画像処理技術に関し、特に、パーソナルメディカルデバイスを検出するため、並びに、パーソナルメディカルデバイスを有した患者に対して医用画像処理手順を実行するための方法及びシステムを提供する。用途の主題は、少なくともコンピュータ断層撮影（ＣＴ）画像処理と共に使用することであり、それに関して特定の参照と共に記述される。しかし、他の画像処理方法を有した、Ｘ線、蛍光透視、磁気共鳴（ＭＲ）、単一光子放射型コンピュータ断層撮影（ＳＰＥＣＴ）、陽電子放射型断層撮影（ＰＥＴ）、及び、超音波（ＵＳ）等の他の技術におけるより一般的な用途も有している。
【背景技術】
【０００２】
最近の研究は、パーソナルメディカルデバイスと、ＣＴに使用されるＸ線放射等の画像処理用放射との相互作用に対する将来性を実証してきた。そのようなパーソナルメディカルデバイスは、それだけに限らないが、心調律管理装置、除細動器、神経刺激器、薬物注入ポンプ（例えばインスリンポンプ）、人工内耳、及び、人工網膜を含む。Ｘ線放射は、パーソナルメディカルデバイスの動作に干渉し得るか、又は、そのデバイスに機能障害を生じ得る。ＣＴスキャンの間にこれらのデバイスと共に発生し得るＸ線放射との相互作用は、（例えば除細動パルス等の）擬似信号の生成、実際の生理学的信号としての装置信号の誤った解釈又は誤った検出、及び、パーソナルメディカルデバイスの設定のリセット又は再プログラミングを含む。これらのあり得る相互作用のそれぞれが、有害事象を潜在的に生じ得る。
【０００３】
現在、Ｘ線より引き起こされるパーソナルメディカルデバイスの干渉及び／又は機能障害に関連する有害事象の可能性は、完全に理解されている又は立証されているわけではない。現在のところ、大部分の公認のＣＴ技術者が、パーソナルメディカルデバイスに関する限られた知識を有している。さらに、パーソナルメディカルデバイスの種類及び位置は、患者毎に非常に異なっている。パーソナルメディカルデバイスの存在を示し得る患者によって示される臨床的要素においてかなりの患者間の違いもある。
【発明の概要】
【発明が解決しようとする課題】
【０００４】
前述の理由及び他の理由のため、パーソナルメディカルデバイスの存在を検出する、並びに、そのデバイスに関する情報を集める方法及びシステムを提供することが所望される。さらに、パーソナルメディカルデバイスに干渉するＸ線放射のリスクを減らすために医用画像処理手順を適応させるか又はカスタマイズする方法及びシステムを提供することが所望される。パーソナルメディカルデバイス上を走査する必要がある場合に生じ得るデバイスの干渉又は機能障害のリスクを有した特定の医用画像処理手順によって得られる画質の均整をとるための方法及びシステムを提供することも所望される。最後に、特定の患者のパーソナルメディカルデバイスに関する情報を集めるために、健康記録データベース、監督データベース（ｒｅｇｕｌａｔｏｒｙ  ｄａｔａｂａｓｅ）、医療装置データベース、又は、他の種類のデータベースと交流するシステムを提供することも所望される。
【課題を解決するための手段】
【０００５】
本発明の態様は、これらの事項及び他の事項に焦点を当てている。
【０００６】
本発明の一態様によると、患者内のパーソナルメディカルデバイスの存在を検出するための方法及びシステムが提供される。本発明の別の態様によると、パーソナルメディカルデバイスの位置及び種類、並びに、デバイスの他の特徴を決定するための方法及びシステムが提供される。本発明の別の態様によると、パーソナルメディカルデバイスに干渉することを回避するため、又は、デバイスの干渉若しくは機能障害のリスクを減らすために医用画像処理手順を適応させるか又はカスタマイズするための方法及びシステムが提供される。本発明のさらに別の態様によると、パーソナルメディカルデバイス上を走査する必要がある場合に生じ得るパーソナルメディカルデバイスの干渉のリスクを有した特定の医用画像処理手順によって得られる画質の均整をとるための方法及びシステムが提供される。本発明の別の態様によると、特定の患者のパーソナルメディカルデバイスに関する情報を集めるため、及び、パーソナルメディカルデバイスに関するさらなる情報が何か集められた場合に、その情報でデータベースをアップデートするために健康記録データベース、監督データベース、医療装置データベース、又は、他の種類のデータベースと交流するための方法及びシステムが提供される。
【０００７】
本発明のさらなる態様が、以下の詳細な説明を読み理解した後、当業者によって正しく理解されるはずである。数多くのさらなる利点及び利益が、以下の好ましい実施形態の詳細な説明を読んだ後、当業者に明らかになる。
【０００８】
本発明は、種々の構成要素及び構成要素の取合せにおいて、並びに、種々のプロセス操作及びプロセス操作の取合せにおいて具体化することができる。図面は、好ましい実施形態を例示する目的のためだけにあり、本発明を限定するとして解釈されない。
【図面の簡単な説明】
【０００９】
【図１】本発明の実施形態による例証的なＣＴ画像処理システムの概略図である。
【図２】本発明の実施形態による例証的な医用画像処理ネットワークの概略図である。
【図３】本発明の実施形態による医用画像処理方法を描写している。
【図４Ａ】移植された心調律管理装置（ＩＣＭＲＤ）を示す、及び、ＩＣＭＲＤを含む計画された走査範囲を例示するソフトウェアプログラムによって生成された例証的な再構築されたＣＴスカウトの走査画像である。
【図４Ｂ】再構築されたＣＴ画像においてＩＣＭＲＤが検出され且つ強調され、ＩＣＭＲＤの干渉のリスクを減らすために調整された計画された走査範囲を例示する（同じ図４Ａのスカウトの走査画像の）本発明の一態様によるソフトウェアプログラムによって生成された、再構築されたＣＴスカウトの走査画像である。
【発明を実施するための形態】
【００１０】
現在のところ、多くの異なる種類の画像処理システムが、医用画像を得るために使用されている。これらの種類の画像処理システムは、ＣＴ、ＰＥＴ、ＳＰＥＣＴ、ＭＲＩ、及び、他の画像処理システムを含む。例証的なＣＴ画像処理システム１００が図１に例示されている。しかし、すでに述べたように、本明細書において開示された画像処理方法及びシステムは、本明細書において明確に記述した種類以外の種々の他の種類の画像処理システム又は画像処理システムの組合せに関する用途も有している。
【００１１】
図１において例示されているように、例証的なＣＴ画像処理システム１００は、ＣＴ画像処理装置１０２を含む。画像処理されることになる代表的な対象は、図１の１０４に示されており、ＣＴ画像処理装置１０２の開口部１０６において部分的に受け入れられている。例証的なＣＴ画像処理システム１００は、メモリ１１０、画像プロセッサ１２０、メディカルデバイスモジュール１３０、ディスプレイ１４０、及び、ユーザー入力１５０も含む。画像プロセッサ１２０は、ＣＴ画像処理装置１０２からＸ線データを受け取り、ＣＴ画像を生成する。ＣＴ画像処理装置１０２によって得られたＸ線画像データは、メモリ１１０に記憶される。メモリ１１０に記憶されたＸ線画像データは、画像処理データプロセッサ１２０によって処理される。プロセッサ１２０は、１又は複数の数学的アルゴリズムに従ってＸ線画像データに基づき、画像処理される対象１０４の画像を生成する。画像は、付随するディスプレイ１４０上に表示することができる。ＣＴ画像処理システム１００の構成要素を制御するために、ユーザー入力１５０をユ―ザーに対して提供することができる。メディカルデバイスモジュール１３０を含めたＣＴ画像処理システム１００の種々の構成要素は、ＣＴ画像処理装置１０２と一体であり得るか、又は、ＣＴ画像処理装置１０２とは離して置くことができる。
【００１２】
メディカルデバイスモジュール１３０は、患者に関する患者データを得る、及び、患者データを分析して、患者が有するいかなる１又は複数のパーソナルメディカルデバイスに関する情報も決定するよう適応される。ＣＴ画像処理システム１００の種々の実施形態において、メディカルデバイスモジュール１３０は、いろいろな情報データベースと交流するよう適応される。例証的な医用画像処理ネットワーク２００が、図２において例示されている。図２に示されているように、例証的な実施形態のメディカルデバイスモジュール１３０は、電子医療記録（「ＥＭＲ」）２１０、病院情報システム（「ＨＩＳ」）２２０、放射線学情報システム（「ＲＩＳ」）２３０、及び、画像データ保管通信システム（「ＰＡＣＳ」）２４０と交流するよう適応される。図２に示されているように、例証的な実施形態のメディカルデバイスモジュール１３０は、メディカルデバイスの製造業者２５０、医用画像走査装置の製造業者２６０、及び／又は、監督機関２７０によって提供及び／又は維持されるデータベースと交流するようにも適用される。メディカルデバイスモジュール１３０は、さらなる実施形態において、種々の他のデータベース又は情報収集と交流するよう適応させることもできる。ＣＴ画像処理システム１００の種々の実施形態において、メディカルデバイスモジュール１３０は、いかなるデータベースとも交流しないということを理解するべきである。ＣＴ画像処理システム１００のさらなる実施形態において、メディカルデバイスモジュール１３０は、図２に定められたデータベースのうち１又は複数のデータベースと交流することができるが、これらのデータベースのうち全てと交流しない場合もある。
【００１３】
ＣＴ画像処理システム１００の種々の実施形態において、メディカルデバイスモジュール１３０は、画像データを分析して、パーソナルメディカルデバイスの存在を決定するよう適応される。本明細書において使用される場合、「パーソナルメディカルデバイス」は、それだけに限らないが、心調律管理装置、除細動器、神経刺激器、薬物注入ポンプ（例えばインスリンポンプ）、人工内耳、及び、人工網膜を含めた、患者内に完全又は部分的に移植されるか、又は、患者によって外部に置かれ且つ運ばれる、若しくは、患者に付着させられるいかなるメディカルデバイスも意味するものとする。メディカルデバイスモジュール１３０は、しきい値処理、連結成分分析、一般化ハフ変換（ＧＨＴ）、モデルベースのセグメンテーションアルゴリズム、又は、他の適した１又は複数のアルゴリズム等の数学的アルゴリズムを利用して、パーソナルメディカルデバイスの存在に対して画像データを分析する。メディカルデバイスモジュール１３０によって分析される画像データは、二次元又は三次元のスカウトスキャン（すなわち、サービュースキャン）から、又は、フルスキャンから得ることができる。ＣＴ画像処理システム１００の種々の実施形態において、メディカルデバイスモジュール１３０は、この分析を、現在の画像処理手順の間に患者から取得された（及び、ＣＴ画像処理システム１００のメモリ１１０若しくは他の位置に記憶された）画像データに対して、又は、前の１又は複数の画像処理手順の間に患者から以前に得た、及び、画像データ保管通信システム２４０若しくは他の位置に記憶された画像データに対して行う。パーソナルメディカルデバイスの存在を決定するためにメディカルデバイスモジュール１３０によって分析される画像データは、吸収補正（ａｔｔｅｎｕａｔｉｏｎ  ｃｏｒｒｅｃｔｉｏｎ）に使用することもできる。
【００１４】
ＣＴ画像処理システム１００の種々の実施形態において、メディカルデバイスモジュール１３０は、パーソナルメディカルデバイスの位置を決定するよう適応される。そのような実施形態では、メディカルデバイスモジュール１３０が、胸骨、肋骨、若しくは鎖骨等の内部又は外部の基準マーカーに対してパーソナルメディカルデバイスの位置を決定及び記憶するために、胸部又は心臓の解剖学的なセグメンテーションアルゴリズムの等の解剖学的なセグメンテーションアルゴリズムから得られたデータを分析する。他の実施形態では、メディカルデバイスモジュール１３０が、計画された画像処理走査範囲に対してパーソナルメディカルデバイスの位置を決定し、その走査範囲に対するメディカルデバイスの位置を記録する。さらなる実施形態では、メディカルデバイスモジュール１３０が、前の１又は複数の画像処理手順の間に患者から以前に得た画像データを分析し、現在の画像処理手順の間に患者から取得された画像データに対して比較すること（例えば画像レジストレーション技術）によってパーソナルメディカルデバイスの相対的な位置を決定する。
【００１５】
前述したように、ＣＴ画像処理システム１００の種々の実施形態は、データベースと交流するよう適応されたメディカルデバイスモジュール１３０を含む。そのようなデータベースは、図２に例示されたＥＭＲ２１０、ＨＩＳ２２０、ＲＩＳ２３０、ＰＡＣＳ２４０、及び、メディカルデバイス製造業者のレジストリ２５０を含み得る。これらの実施形態のメディカルデバイスモジュール１３０は、これらのデータベースのうち１又は複数のデータベースにポーリングして、特定の患者のパーソナルメディカルデバイスの存在、位置、及び／又は、さらなる特徴に関する情報を集めることができる。
【００１６】
例えば、メディカルデバイスモジュール１３０は、ＥＭＲ２１０にポーリングして、患者がパーソナルメディカルデバイスを有しているかどうかを決定し、有している場合に、そのパーソナルメディカルデバイスに関する情報を集めることができる。そのような情報は、例えば、デバイスの種類、位置、定位、製造業者、モデル、又は、他の特徴を含み得る。類似の様式で、メディカルデバイスモジュール１３０は、例えばＨＩＳ２２０又はＲＩＳ２３０等の他のデータベースから類似の情報を集めることもできる。メディカルデバイスモジュール１３０は、患者が特定のデバイス（例えば、特定のモデルの除細動器）を有していることを決定することができるか、又は、一般的なカテゴリー又はシリーズ内にあるデバイス（例えば、除細動器、特定のシリーズの除細動器のモデル等）を患者が有していることを決定することができる。パーソナルメディカルデバイスの特定の型及びモデル又はカテゴリーを患者が有していることが既知であるか又は決定される場合、メディカルデバイスモジュール１３０は、次に、デバイス製造業者のデータベース２５０、医用画像走査装置製造業者のデータベース２６０、又は、監督機関のデータベース２７０にポーリングして、デバイスの作動パラメータ、放射線感受性の特性、又は、他の特徴等、デバイスの特定のデバイスモデル又はカテゴリーに関する情報を集めることができる。
【００１７】
種々の実施形態において、メディカルデバイスモジュール１３０は、多数の出所から情報（すなわち、患者データ）を集めて分析し、パーソナルメディカルデバイスを分類する。例えば、種々の実施形態において、メディカルデバイスモジュール１３０は、画像データから集めた情報を使用して、パーソナルメディカルデバイスを分類する。例えば、メディカルデバイスモジュール１３０は、スカウトスキャン又はフルスキャンから集めた（マルチエネルギー又はスペクトル特徴のものを含む）形態学的及び減弱（ａｔｔｅｎｕａｔｉｏｎ）画像の特徴データを使用することができる。メディカルデバイスモジュール１３０は、この情報を非画像データ（例えば、ＥＭＲ２１０、ＨＩＳ２２０、及び／又は、ＲＩＳ若しくは他のデータベースから集めた情報）と組み合わせて、パーソナルメディカルデバイスをさらに分類することもできる。例えば、メディカルデバイスモジュール１３０は、患者内に移植されたメディカルデバイスの種類を決定するために画像データを分析することにおいて、ニューラルネットワーク、遺伝的アルゴリズム、サポートベクターマシーン、又は、他の方法を使用することができる。メディカルデバイスモジュール１３０がメディカルデバイスを分類すると、この情報を使用してデータベースを参照し、メディカルデバイスのさらなる特徴を決定することができる。例えば、メディカルデバイスモジュール１３０が、パーソナルメディカルデバイスの種類、製造業者、及び／又は、モデルを分類すると、メディカルデバイスモジュール１３０は、メディカルデバイス製造業者のデータベース２５０、医用画像走査装置製造業者のデータベース２６０、及び／又は、監督機関のデータベース２７０にポーリングして、デバイスの放射線感受性の特性を決定することができる。又は、例えば、メディカルデバイスモジュールは、吸収補正に使用するためにパーソナルメディカルデバイスの吸収特性に関する情報を決定することができる。
【００１８】
ＣＴ画像処理システム１００の種々の実施形態において、メディカルデバイスモジュール１３０は、画像処理手順を受けるよう準備された患者内でパーソナルメディカルデバイスが検出された場合に、臨床医又は他のＣＴ画像処理システム１００の操作者に警告を提供する。提供される警告は、聴覚性警告及び／若しくは視覚性警告であり得るか、又は、他の形状の警告であり得る。種々の実施形態において、メディカルデバイスモジュール１３０は、適した方法を使用することによって、（スカウトスキャン等の）再構築された画像上でパーソナルメディカルデバイスの位置を強調する。そのような方法は、ＣＴ画像処理システム１００の操作者に、パーソナルメディカルデバイスの位置、定位、又は、種類に関する情報を提供することができる。メディカルデバイスモジュール１３０は、（例えば図４Ｂにおいて例示された）カラーオーバーレイ又はシェーデッド（ｓｈａｄｅｄ）オーバーレイ等、視覚的又は他の様式で所望される場合に、この情報をＣＴ画像処理システム１００の操作者に示す。この情報は、スキャンコンソール、タッチスクリーンディスプレイ等のガントリーディスプレイ上で、又は、他の様式でＣＴ操作者に示すことができる。パーソナルメディカルデバイスに関する警告及び／又は情報に加えて、メディカルデバイスモジュール１３０は、画像処理手順の種々のステップを介してＣＴ操作者をガイドすることもできる。例えば、ガントリーのタッチスクリーンディスプレイ上に示されたプロンプトによって、患者内のパーソナルメディカルデバイスの検出に応じて必要とされる種々のステップを介してＣＴ操作者をガイドすることができる。
【００１９】
ＣＴ画像処理システム１００の種々の実施形態において、メディカルデバイスモジュール１３０は、（例えば、電子メール、ページ、ＳＭＳ、電話等の）通知を上位の技術者、（例えば、心臓病専門医、神経科専門医等の）専門家、放射線技師、又は、他の医療専門家に送ることもできる。この通知は、走査手順の開始に先立ち、手順の間、又は、手順の後に送ることができる。この様式で、走査手順に先立ち又は走査手順の後でさらなる専門知識が必要とされた場合に、そのような医療職員に知らせることができる。例えば、計画された走査範囲内の心調律管理装置の位置のため、特定の走査手順の開始に先立ち心臓病専門医の専門知識を要請することができる。
【００２０】
患者がパーソナルメディカルデバイスを有していることをメディカルデバイスモジュール１３０が決定し、そのデバイスを分類し、そのデバイスの存在を操作者に知らせると、本発明の種々の実施形態のメディカルデバイスモジュール１３０は、任意選択で、計画された画像処理手順を特定の患者のためにカスタマイズする。例えば、メディカルデバイスモジュール１３０は、パーソナルメディカルデバイスの種類及び位置に関して集められた情報を使用して、パーソナルメディカルデバイス上に投与される放射線量又は放射線量率を調整することができる。これは、メディカルデバイスの一次ビームの被曝が予め定義された放射線被曝のしきい値を越えるというリスクを減らすことができる。そのような予め定義された放射線被曝のしきい値は、パーソナルメディカルデバイスの製造業者、特定の病院のポリシー、監督機関、又は、他の機構によって、特定のパーソナルメディカルデバイスに対して、（例えば体質、体重等の）患者に特有の特徴と組み合わせて確立することができる。特定の種類のパーソナルメディカルデバイスを患者が有していることをメディカルデバイスモジュール１３０が決定すると、メディカルデバイスモジュール１３０は、その種類のデバイスに対して設定された放射線被曝のしきい値を決定するために、上記の種々のデータベースにポーリングすることができる。
【００２１】
さらに、メディカルデバイスモジュール１３０は、パーソナルメディカルデバイスに関して集めた情報に応じて、医用画像処理手順のさらなるパラメータを自動的に調整若しくは変更する、又は、手動の調整を示唆することができる。そのようなパラメータは、管電圧、管電流、ガントリーの回転時間、螺旋ピッチ、及び、他のパラメータを含む。さらに、メディカルデバイスモジュール１３０は、例えば、自動管電流選択、ｚ軸線量調節、角度線量調節、ｚ軸線量調節と角度線量調節との組合せ、及び／又は、器官に特有の線量調節等、線量調節パラメータを調整することができる。メディカルデバイスモジュール１３０は、パーソナルメディカルデバイスに関して集めた情報次第で、くさび形若しくは蝶ネクタイ形の調整フィルター及び動的な端効果のコリメーションを選択するか又は選択の取り消しをすることもできる。さらなる実施形態において、メディカルデバイスモジュール１３０は、医用画像処理手順のさらなるパラメータ、設定、又は、特徴を変更又は調整して、画像処理手順がパーソナルメディカルデバイスの作動にダメージを与えるか、又は、パーソナルメディカルデバイスの作動に干渉するリスクを減らす。種々の実施形態において、メディカルデバイスモジュール１３０は、たった１つの医用画像処理手順をカスタマイズすることに対立するものとして、特定の患者に対して（例えば放射線治療等の）治療全体を計画するか又は最適化することもできる。
【００２２】
ＣＴ画像処理システム１００の種々の実施形態において、メディカルデバイスモジュール１３０は、パーソナルメディカルデバイスの種類又は位置に基づき、計画された画像処理手順の走査範囲を変更する。例えば、計画された走査範囲内又はその付近に位置する移植された心調律管理装置（ＩＣＭＲＤ）又は他のパーソナルメディカルデバイスを患者が有していることをメディカルデバイスモジュール１３０が決定する場合、メディカルデバイスモジュールは、ＩＣＭＲＤに干渉することを回避するようにその走査範囲を変更することができる。
【００２３】
さらに、メディカルデバイスモジュール１３０は、計画された走査範囲内又はその付近にパーソナルメディカルデバイスが位置していると決定された場合に、パーソナルメディカルデバイスに干渉することにおいて減らされたリスクを提示する１又は複数の別の走査プロトコルを操作者に提案若しくは示唆することができる。計画された走査範囲内にパーソナルメディカルデバイスが位置していると決定され、その計画された走査範囲を変更することができない又は変更されない場合、種々の実施形態のメディカルデバイスモジュール１３０は、デバイスの干渉又は機能障害のリスクを有した画質の均整を保つことができる。そのような例において、メディカルデバイスモジュールは、医用画像処理手順の種々のパラメータを変更又はカスタマイズして、画質を低下させるが、パーソナルメディカルデバイスに干渉するリスクも減らすことができる。
【００２４】
ＣＴ画像処理システム１００の種々の実施形態において、メディカルデバイスモジュール１３０は、画像処理の間に患者を支える診察台を動かし、放射線被曝からメディカルデバイスを遮蔽するために、パーソナルメディカルデバイスを有する患者の体の領域上の、ビスマス遮蔽等の任意のＸ線遮蔽物の配置を容易にする。この放射線遮蔽工程をさらに容易にするために、メディカルデバイスモジュール１３０は、遮蔽物が置かれるべき患者の体の領域を操作者に示すために、パーソナルメディカルデバイスの位置にレーザーを投射するか、さもなければ、パーソナルメディカルデバイスの位置をマークすることもできる。
【００２５】
ＣＴ画像処理システム１００の種々の実施形態のメディカルデバイスモジュール１３０は、任意選択で、起こり得るＣＴにより引き起こされる不備をモニターするために、医用画像処理手順の間に、心電図検査（ＥＣＧ）、脳波記録（ＥＥＧ）、又は、他の生理学的信号等、患者の生理学的信号をモニターする。例えば、移植された心調律管理装置（ＩＣＭＲＤ）を患者が有していることをメディカルデバイスモジュール１３０が検出した場合、メディカルデバイスモジュール１３０は、任意選択で、ＥＣＧを介して患者の心臓の活動をモニターし、画像処理手順の間に患者の心臓の活動に何か不備があった場合に操作者に警告を与える。この様式で、患者を安定化することができ、且つ、即時の医学的注意を提供することができるように、患者のＩＣＭＲＤがうまく機能しない場合、又は、いかなる他の不備がある場合にも画像処理手順を停止することができる。メディカルデバイスモジュール１３０によってモニターされる生理学的信号は、患者が有するパーソナルメディカルデバイスの種類に基づき合わせることができる。例えば、心臓ペースメーカーに対立するものとしてインスリンポンプを患者が有している場合に、メディカルデバイスモジュール１３０によって異なる生理学的信号をモニターすることができる。
【００２６】
ＣＴ画像処理システム１００の種々の実施形態のメディカルデバイスモジュール１３０は、ＥＭＲ２１０、ＨＩＳ２２０、及び／又は、ＲＩＳ２３０等の種々のデータベースを、特定の患者の１又は複数のパーソナルメディカルデバイスに関して集めた情報でアップデートするよう適応される。例えば、メディカルデバイスモジュール１３０は、患者が有するパーソナルメディカルデバイスの存在、位置、定位、種類、製品、及び、モデルに関する情報をこれらのデータベースに加えるか又はアップデートする。さらに、種々の実施形態のメディカルデバイスモジュール１３０は、特定の医用画像処理手順に使用した走査パラメータ、又は、画像処理手順の間に測定した患者の生理学的信号に関する情報を、これらのデータベースに加えるか又はアップデートすることができる。さらに、メディカルデバイスモジュール１３０は、任意選択で、患者の主たる治療医師、心臓病専門医、神経科専門医、又は、他のヘルスケアワーカー等、適切な医学的専門家に、患者の診療記録が変更されたか又はアップデートされたことを通知する。これは、患者をモニターして、デバイス又はその動作に対して可能な放射線により引き起こされた変化が何かあるかどうかを決定するよう彼等に注意を喚起することができる。
【００２７】
ＣＴ画像処理システム１００の種々の実施形態のメディカルデバイスモジュール１３０は、いかなるＣＴにより引き起こされたパーソナルメディカルデバイスの干渉の有無も確かめるために、医用画像処理手順の後で、ＣＴ技術者又は患者に対して検査するか又は質問表を用いて調査する。ＣＴ操作者又は患者による質問表を用いての調査の完了に続いて、メディカルデバイスモジュール１３０は、任意選択で、パーソナルメディカルデバイスに関する情報及び実行された医用画像処理手順に関する情報と共に検査の結果を、病院の品質保証部門、走査装置の製造業者、パーソナルメディカルデバイスの製造業者、及び／又は、監督機関に提出する。そのような監督機関の部門の１つは、ＭｅｄＷａｔｃｈ、米国の食品医薬品局の任意の安全性情報及び有害事象報告プログラムである。
【００２８】
次に、図３を参照すると、本発明の一態様による例証的なパーソナルメディカルデバイス検出及び応答方法３００が例示されている。ステップ３０２では、ＣＴ画像処理システム１００が、画像処理される対象１０４のスカウトスキャン又はサービュー画像データ３０６を得るために利用される。ステップ３０４では、患者の以前の画像処理手順からの画像データ３０６が、画像データ保管通信システム２４０又は他の１又は複数の出所から得られる。前述したように、スカウトスキャンから又は以前の走査手順からの画像データ３０６は、本発明の態様によるパーソナルメディカルデバイスの存在を決定するという目的のために使用することができる。ＭＲ等の特定の画像処理様式に対して、種々の理由のためスカウトスキャンを利用しない場合がある。従って、スカウトスキャンから又は以前の走査手順からの画像データが使用されることになるかどうかに応じて、ステップ３０２又はステップ３０４のうち１つのみを完了する場合がある。しかし、パーソナルメディカルデバイスの存在を決定するためにスカウトスキャンからの画像データも以前の走査手順からの画像データも利用するさらなる実施形態においては、ステップ３０２も３０４も完了される。さらなる実施形態において、画像データは分析されない。正しくは、ステップ３１２において１又は複数のデータベース（ＥＭＲ２１０、ＨＩＳ２２０、ＲＩＳ２３０、ＰＡＣＳ２４０、及び／又は、デバイス製造業者のレジストリ２５０等）から得られた情報のみが、デバイスに関する情報を決定するために使用される。
【００２９】
特定の実施形態において、患者が受けるよう準備されるもの以外の画像様式からの画像データが使用される。例えば、ＭＲ画像処理手順の開始に先立ち、患者のＣＴスカウトスキャン又は以前のＣＴスキャンからのＣＴ画像データを分析して、いかなるＭＲと両立できない（ｎｏｎ−ＭＲ  ｃｏｍｐａｔｉｂｌｅ）パーソナルメディカルデバイスも磁場／ＲＦ場に入らないことを保証するのに寄与することができる。
【００３０】
ステップ３０８において、メディカルデバイスモジュール１３０は、パーソナルメディカルデバイスの存在に対して画像データ３０６を分析する。前述したように、メディカルデバイスモジュール１３０は、しきい値処理、連結成分分析、一般化ハフ変換（ＧＨＴ）、１又は複数のモデルベースのセグメンテーションアルゴリズム、又は、他の適した１又は複数のアルゴリズム等、１又は複数の数学的アルゴリズムを利用して、パーソナルメディカルデバイスの存在に対して画像データ３０６を分析する。デバイスが存在すると決定されない場合、工程３００は停止する。デバイスが存在すると決定される場合、工程３００は続く。
【００３１】
ステップ３１０では、メディカルデバイスモジュール１３０が画像データ３０６を分析してパーソナルメディカルデバイスが存在する場合に、そのパーソナルメディカルデバイスの位置を決定する。例えば、メディカルデバイスモジュール１３０は、胸部又は心臓の解剖学的なセグメンテーションアルゴリズム等の解剖学的なセグメンテーションアルゴリズムから得られたデータを分析して、胸骨、肋骨、又は鎖骨等、内部又は外部の患者の基準マーカーに対してパーソナルメディカルデバイスの位置を決定する。
【００３２】
ステップ３１２では、メディカルデバイスモジュール１３０が、電子医療記録（「ＥＭＲ」）２１０、病院情報システム（「ＨＩＳ」）２２０、放射線学情報システム（「ＲＩＳ」）２３０、画像データ保管通信システム（「ＰＡＣＳ」）２４０、１又は複数のパーソナルメディカルデバイス製造業者のデータベース２５０、１又は複数の医用画像走査装置製造業者のデータベース２６０、及び／又は、１又は複数の監督機関のデータベース２７０等の１又は複数のデータベース、又は、他のデータベースにポーリングして、患者の１又は複数のパーソナルメディカルデバイスに関する情報を集める。メディカルデバイスモジュール１３０はこれらのデータベースにポーリングして、特定の患者が有し得るいかなるパーソナルメディカルデバイスの存在、位置、定位、種類、モデル、製造業者、及び／若しくは、放射線感受性特性、又は、いかなる他の関連する特徴に関する情報も集める。本発明の特定の実施形態において、メディカルデバイスモジュール１３０は、これらのデータベースのうち１又は複数のデータベースにポーリングすることができる。さらなる実施形態において、メディカルデバイスモジュール１３０は、いかなるデータベースにもポーリングせずに、正しくは、単に画像データ３０６に頼ることができる。
【００３３】
メディカルデバイスモジュール１３０は、有線ネットワーク、無線ネットワーク、ピアートゥピアーネットワーク、クライアント／サーバネットワーク、又は、いかなる他の適した方法等の種々の方法でも、これらのデータベースのそれぞれに接続することができる。また、メディカルデバイスモジュール１３０は、これらのデータベースに直接接続されない場合がある。正しくは、これらのデータベースの内容は、メディカルデバイスモジュール１３０自体の中に置かれた記憶装置、ＣＴ画像処理システム１００のメモリ１１０、又は、メディカルデバイスモジュール１３０が接続されてそこから情報を集める他の記憶装置にアップロードすることができる。
【００３４】
ステップ３１４では、ステップ３０８において画像データから、及び／又は、ステップ３１２において１又は複数のデータベースのポーリングから集めた情報をメディカルデバイスモジュール１３０が利用して、パーソナルメディカルデバイスが存在する場合に、そのパーソナルメディカルデバイスを分類する。種々の実施形態において、メディカルデバイスモジュール１３０は、（マルチエネルギー又はスペクトル特徴のものを含む）形態学的及び減弱画像の特徴データ、若しくは、ステップ３０８から集めた他の画像データ、及び／又は、ステップ３１２から集めた非画像データを使用して、そのパーソナルメディカルデバイスを分類する。例えば、メディカルデバイスモジュール１３０は、患者内に移植されたメディカルデバイスの種類を決定するために画像データを分析することにおいて、ニューラルネットワーク、遺伝的アルゴリズム、サポートベクターマシーン、又は、他の方法を使用することができる。この情報は、次に、そのメディカルデバイスの種類、製造業者、モデル、放射線感受性特性、及び、他の特徴等、ポーリングしたデータベースから集めた情報と組み合わされる。
【００３５】
ステップ３１２及び３１４は、異なる出所から得られる情報を一致させるために、連続して反復し行うことができる。ＣＴ画像処理システム１００の種々の実施形態において、メディカルデバイスモジュール１３０は、ステップ３１２において同時に又は連続して多数のデータベースにポーリングすることができる。また、メディカルデバイスモジュール１３０は、ステップ３１２において、特定の情報を集めるために１又は複数のデータベースから情報を集め、次に、これらの同じデータベース又はさらなる１又は複数のデータベースに再度ポーリングして、さらなる情報を集めることができる。例えば、メディカルデバイスモジュール１３０は、病院情報システムのデータベース２２０等の１つのデータベースのポーリングに基づき、パーソナルメディカルデバイスの種類、製造業者、及び、モデルを決定することができる。次に、その情報を使用して、例えば、デバイス製造業者のデータベース２５０等の別のデータベースにポーリングし、そのパーソナルメディカルデバイスの放射線感受性特性等のさらなる情報を決定することができる。
【００３６】
メディカルデバイスモジュール１３０によってパーソナルメディカルデバイスが検出される場合、メディカルデバイスモジュール１３０は、ステップ３１６において、聴覚性及び／又は視覚性警告によってそのパーソナルメディカルデバイスの存在をＣＴ操作者に知らせる。例えば、メディカルデバイスモジュール１３０は、パーソナルメディカルデバイスが存在し、且つ、ＣＴ操作者の特定の行動が要求され得るということをＣＴ操作者に警告するために、聞き取れるビープ音又は他の警告を与えることができる。
【００３７】
ステップ３１２においてデータベースから集めた情報と、ステップ３０８において画像データに基づきメディカルデバイスモジュール１３０によって行われた決定との間で、パーソナルメディカルデバイスの存在に関して相違があり得る。その場合には、メディカルデバイスモジュール１３０は、ステップ３１８においてさらなる調査が必要とされることをＣＴ操作者に示す。例えば、メディカルデバイスモジュール１３０は、ステップ３０８での画像デ―タ３０６の分析に基づきパーソナルメディカルデバイスが存在するということを、そのようなパーソナルメディカルデバイスの記録がステップ３１２でのポーリングされたデータベースから検出されなかったけれども、決定した可能性がある。同じように、ステップ３１２にてポーリングされたデータベースは、もはや存在しないか又はメディカルデバイスモジュール１３０によって画像データ３０６において検出されないパーソナルメディカルデバイスの存在に関する情報を含み得る。
【００３８】
同様に、パーソナルメディカルデバイスの存在に関する相違は、患者のスカウトスキャンからの画像データも以前の画像処理手順からの画像データも使用される場合にも生じ得る。例えば、患者は、以前の画像処理手順の時には、その後取り除かれたか又は変えられたパーソナルメディカルデバイスを有していた可能性がある。そのような場合、ＣＴ操作者又は他の医療技師は、ステップ３１８のプロンプトに応じて、手動でのパーソナルメディカルデバイスの検出手順を実行し、パーソナルメディカルデバイスを患者が有しているかどうかを決定する。これらの手順は、目視検査、患者の取調べ、関連する患者領域の触診、又は、他の取調べを含み得る。この手動での調査手順の後、ＣＴ操作者は、メディカルデバイスモジュール１３０内に情報を入力して、パーソナルメディカルデバイスの存在に関する相違を解決することができる。
【００３９】
ステップ３２０では、メディカルデバイスモジュール１３０が、（スカウトスキャン等の）再構築された画像上でパーソナルメディカルデバイスの位置を強調する。例えば、カラーオーバーレイ又はシェーデッドオーバーレイを使用することができる。この方法で、ＣＴ画像処理システム１００の操作者には、パーソナルメディカルデバイスの位置に関する情報が提供される。種々の実施形態において、メディカルデバイスモジュール１３０は、所望された場合にディスプレイ１４０又は他の表示装置を介してＣＴ画像処理システム１００の操作者のために、計画された画像処理の走査範囲に対するパーソナルメディカルデバイスの位置も視覚的に描写する。
【００４０】
図４Ａは、ソフトウェアプログラムによって生成された、例証的な再構築されたＣＴスカウトスキャン画像４００を例示している。画像４００は、移植された心調律管理装置（ＩＣＭＲＤ）４１０を含む。図４Ａは、ＩＣＭＲＤ４１０を含む計画された走査される範囲４２０も例示している。次に図４Ｂを参照すると、本発明の一態様によるソフトウェアプログラムによって生成された、例証的な再構築されたＣＴスカウトスキャン画像４００’が例示されている。画像４００’は、画像４００を生成するのに使用されたのと同じデータに基づき生成された。しかし、図４Ｂのスカウトスキャン画像４００’において、移植された心調律管理装置４１０は、計画された走査範囲４３０に対して検出され強調された。
【００４１】
ステップ３２２では、メディカルデバイスモジュール１３０が、パーソナルメディカルデバイスの検出に応じて、医用画像処理手順をカスタマイズする。上記のように、メディカルデバイスモジュール１３０は、パーソナルメディカルデバイスの種類、位置、及び／又は、定位について集めた情報を使用して、そのパーソナルメディカルデバイス上に投与されることになる放射線量又は放射線量率を調整することができる。さらに、メディカルデバイスモジュール１３０は、計画された走査手順の管電圧、管電流、ガントリーの回転時間、螺旋ピッチ、又は、他のパラメータを調整することができる。さらに、メディカルデバイスモジュール１３０は、（例えば、自動管電流選択、ｚ軸線量調節、角度線量調節、ｚ軸線量調節と角度線量調節との組合せ、及び／又は、器官に特有の線量調節等の）線量調節パラメータを調整することができる。メディカルデバイスモジュール１３０は、パーソナルメディカルデバイスに関して集めた情報次第で、くさび形若しくは蝶ネクタイ形の調整フィルター又は動的な端効果のコリメーションを選択するか又は選択の取り消しをすることもできる。さらなる実施形態において、メディカルデバイスモジュール１３０は、医用画像処理手順のさらなるパラメータ、設定、又は、特徴を変更又は調整して、画像処理手順がパーソナルメディカルデバイスの作動にダメージを与えるか、さもなければ、パーソナルメディカルデバイスの作動に干渉するリスクを減らす。
【００４２】
ＣＴ画像処理システム１００の種々の実施形態において、メディカルデバイスモジュール１３０は、パーソナルメディカルデバイスの種類、位置、及び／又は、定位に基づき、計画された画像処理手順の走査範囲を変更する。再度図４Ｂを参照すると、計画された走査範囲４３０は、図４Ａの計画された走査範囲４２０と比較して変更されている。走査範囲４３０は、移植された心調律管理装置４１０上での走査を回避するよう変更されている。さらに、メディカルデバイスモジュール１３０は、計画された走査範囲内又はその付近にパーソナルメディカルデバイスが位置していると決定された場合に、パーソナルメディカルデバイスに干渉することにおいて減らされたリスクを提示する１又は複数の別の走査プロトコルを操作者に提案若しくは示唆することができる。
【００４３】
また、上記のように、ＣＴ画像処理システム１００の種々の実施形態において、メディカルデバイスモジュール１３０は、画像処理の間に患者を支える診察台を動かし、放射線被曝からメディカルデバイスを遮蔽するために、パーソナルメディカルデバイスを有する患者の体の領域上の、ビスマス遮蔽等の任意のＸ線遮蔽物の配置を容易にする。この放射線遮蔽工程をさらに容易にするために、メディカルデバイスモジュール１３０は、遮蔽物が置かれるべき患者の体の領域を操作者に示すために、パーソナルメディカルデバイスの位置にレーザーを投射するか、さもなければ、パーソナルメディカルデバイスの位置をマークすることもできる。
【００４４】
ステップ３２４では、メディカルデバイスモジュール１３０が、起こり得るＣＴにより引き起こされる不備をモニターするために、医用画像処理手順の間に、心電図検査（ＥＣＧ）、脳波記録（ＥＥＧ）、又は、他の生理学的信号等、患者の生理学的信号をモニターする。この様式で、患者を安定化することができ、且つ、即時の医学的注意を提供することができるように、いかなる不備がある場合にも画像処理手順を停止することができる。メディカルデバイスモジュール１３０によってモニターされる生理学的信号は、患者が有するパーソナルメディカルデバイスの種類に基づき合わせることができる。ステップ３２６では、メディカルデバイスモジュール１３０が、患者の生理学的信号を用いて、いかなる危険な不備が生じる場合にも、ＣＴ操作者に警告する、及び／又は、医用画像処理工程を停止する。
【００４５】
ステップ３２８では、メディカルデバイスモジュールが、電子医療記録（「ＥＭＲ」）２１０、病院情報システム（「ＨＩＳ」）２２０、放射線学情報システム（「ＲＩＳ」）２３０等、種々のデータベースを、特定の患者の１又は複数のパーソナルメディカルデバイスについて集めた情報を用いてアップデートする。例えば、メディカルデバイスモジュール１３０は、患者が有するパーソナルメディカルデバイスの存在、位置、種類、定位、製品、及び、モデルに関する情報をこれらのデータベースに加えるか又はアップデートする。さらに、種々の実施形態のメディカルデバイスモジュール１３０は、特定の医用画像処理手順に使用した走査パラメータ、又は、画像処理手順の間に測定した患者の生理学的信号に関する情報も、これらのデータベースに加えるか又はアップデートする。さらに、ステップ３２８において、メディカルデバイスモジュール１３０は、任意選択で、適切な医学的専門家に、患者の診療記録が変更されたか又はアップデートされたことを通知し、患者をモニターして、デバイス又はその動作に対して可能な放射線により引き起こされた変化が何かあるかどうかを決定するよう彼等に注意を喚起することができる。
【００４６】
ステップ３３０では、メディカルデバイスモジュール１３０が、ＣＴ操作者に対して検査するか又は質問表を用いて調査する。この調査の目的は、いかなるＣＴにより引き起こされたパーソナルメディカルデバイスとの相互作用の有無も確かめることである。ＣＴ操作者による質問表を用いての調査の完了に続いて、メディカルデバイスモジュール１３０は、任意選択で、パーソナルメディカルデバイスに関する情報及び実行された医用画像処理手順に関する情報と共に検査の結果を、病院の品質保証部門、走査装置の製造業者、パーソナルメディカルデバイスの製造業者、及び／又は、監督機関に提出する。
【００４７】
本発明の種々の実施形態は、上記の方法のステップを種々の順で含み得る。例えば、種々の実施形態において、画像データ３０６の分析に先立ち、１又は複数のデータベースにポーリングすることができる。例えば、画像処理手順のために、患者をＣＴ画像処理システム上に登録することができる。患者が登録されると、メディカルデバイスモジュール１３０は、次に、１又は複数のデータベース（ＥＭＲ２１０、ＨＩＳ２２０、ＲＩＳ２３０、ＰＡＣＳ２４０、及び／又は、１又は複数のパーソナルメディカルデバイス製造業者のデータベース２５０等）にポーリングして、パーソナルメディカルデバイスを患者が有しているかどうかを決定することができる。これらのデータベースのポーリングがパーソナルメディカルデバイスの履歴を示す場合、そのデバイスの存在に関する通知、及び、そのデバイスについてのいかなる他の既知の情報も、ＣＴ操作者に伝えることができる。患者の（スカウトスキャン又は以前の画像処理手順からの画像データ等の）画像データ３０６が入手可能である場合、パーソナルメディカルデバイスの存在に対して画像データ３０６を分析することができる。患者のいかなる画像データ３０６も入手可能でない場合、患者のスカウトスキャンを実行することができる。あるいは、特定の実施形態において、いかなる画像データ３０６も分析されず、１又は複数のデータベースのポーリングから得られた情報のみが使用される。
【００４８】
さらに、種々の実施形態は、上記のステップよりも多い又は少ないステップを含み得る。例えば、本発明の一実施形態は、パーソナルメディカルデバイスの存在及び位置を同定することはできるが、そのパーソナルメディカルデバイスの検出に応じて、計画された医用画像処理手順を変更することはできない。
【００４９】
本発明は、種々の方法で実施することができる。メディカルデバイスモジュール１３０は、ＣＴ走査装置等の医用画像処理装置の構成要素として提供することができる。メディカルデバイスモジュール１３０は、ネットワーク記憶装置若しくはＰＡＣＳ等の画像保管データベースの構成要素として、又は、ホストソフトウェア内のアプリケーションとして、医用画像処理装置に連結されたワークステーション上に提供することもできる。メディカルデバイスモジュール１３０は、（例えば、ＤＩＣＯＭ、ＨＬ７、ＨＴＴＰ、ＳＯＡＰ、ＸＭＬ等の）標準的な画像／データ転送のプロトコル及び標準を介して、ソフトウェアアプリケーション、ウェブサービス、及び／又は、アプリケーションサービスプロバイダー（ＡＳＰ）モデルを介して、医用画像処理装置上で実施する、及び／又は、医用画像処理装置に接続することもできる。上記のように、本発明は、ＰＥＴ、ＳＰＥＣＴ、ＣＴ、ＭＲ、超音波、Ｘ線、Ｘ線蛍光透視、若しくは、他の画像様式等、種々の画像処理様式、又は、これらの画像様式のうち１又は複数の画像様式を組み合わせたシステムに適用可能である。メディカルデバイスモジュール１３０は、異なる位置にそれぞれ置かれた多数の部分又は構成要素を含み得る。
【００５０】
例えば、画像データを分析してパーソナルメディカルデバイスの存在を決定する、画像データを分析してパーソナルメディカルデバイスの位置を決定する、画像データ及び１又は複数のデータベースのポーリングから集めた情報に基づきパーソナルメディカルデバイスを分類する、カスタマイズする、警告する、走査を開始及び停止する、所望の走査若しくは再構築プロトコルを選択する、容積データを処理する等の前述の機能は、ソフトウェアロジックとして行うことができる。「ロジック」は、本明細書において使用される場合、１又は複数の機能若しくは活動を行うため、及び／又は、別の構成要素から機能若しくは活動を生じるための、それだけに限らないが、ハードウェア、ファームウェア、ソフトウェア、及び／又は、それぞれの組合せを含む。例えば、所望の用途又は必要性に基づき、ロジックは、ソフトウェアにより制御されたマイクロプロセッサ、特定用途向けＩＣ（ＡＳＩＣ）等の関連のないロジック、又は、他のプログラムされたロジック回路を含み得る。ロジックは、ソフトウェアとして完全に具体化することもできる。
【００５１】
「ソフトウェア」は、本明細書において使用される場合、それだけに限らないが、コンピュータ又は他の電子装置に機能、活動を行わせる、及び／又は、所望の様式でふるまわせる１又は複数のコンピュータにより読み取り可能及び／又は実行可能な命令を含む。命令は、動的に連結されたライブラリから別の用途若しくはコードを含むルーチン、アルゴリズム、モジュール、又はプログラム等、種々の形で具体化することができる。ソフトウェアも、独立プログラム、関数呼び出し、サーブレット、アプレット、メモリに記憶された命令、オペレーティングシステムの一部、又は、他の種類の実行可能な命令等、種々の形で実施することができる。ソフトウェアの形は、例えば、所望の用途の要求、作動する環境、及び／又は、設計者／プログラマーの要望等に依存しているということが、当業者によって正しく理解されるはずである。
【００５２】
本明細書に記述されたシステム及び方法は、例えば、ネットワーク化された制御システム及びスタンドアローンの制御システムを含めた種々のプラットフォーム上で実施することができる。さらに、本明細書において示され且つ記述されたロジック、データベース、又は、テーブルは、メモリ１１０又は画像プロセッサ１２０のような画像処理システム１００の構成要素等、コンピュータにより読み取り可能な媒体の中又は上に存在していることが好ましい。異なるコンピュータにより読み取り可能な媒体の例として、フラッシュメモリ、リードオンリーメモリ（ＲＯＭ）、ランダムアクセスメモリ（ＲＡＭ）、プログラマブルリードオンリーメモリ（ＰＲＯＭ）、電気的プログラマブルリードオンリーメモリ（ＥＰＲＯＭ）、電気的消去可能プログラマブルリードオンリーメモリ（ＥＥＰＲＯＭ）、磁気ディスク若しくはテープ、ＣＤ−ＲＯＭ及びＤＶＤ−ＲＯＭを含めた視覚的に読み取り可能な媒体等が挙げられる。さらに、本明細書において記述された工程及びロジックは、１つの大きな工程系に合併させることができるか、又は、多くの分割された工程系に分けることができる。工程系が本明細書において記述された順は重要ではなく、依然として同じ結果を達成しながら再編成することができる。実際、本明細書において記述された工程系は、その実施において、保証されるか又は所望されるように、再編成、統合、及び／又は、整理し直すことができる。
【００５３】
本発明は、好ましい実施形態を参考にして記述されてきた。前述の詳細な説明を読み理解した後で修正及び変更を行うことができる。本発明は、付随の特許請求の範囲又はその同等物内にある限り、そのような修正及び変更全てを含むとして構成されるということが意図される。
【図１】
0005624125.tif 000002
【図２】
0005624125.tif 000003
【図３】
0005624125.tif 000004
【図４Ａ】
0005624125.tif 000005
【図４Ｂ】
0005624125.tif 000006